(57)【要約】      （修正有）【課題】衣類やシーツ等を短時間で簡便に強制乾燥させることのできる安価な温風乾燥装置を提供する。【解決手段】左右の棒状部材３ａ、３ｂの上端間には、アルミニウムやステンレス等の金属から成るパイプ部材７が水平方向に配置されている。パイプ部材７は下面に複数個の孔部６が穿けられ、遠端は封止部材８により封止されている。パイプ部材７の近端には、布団乾燥機のホースが接続可能されている。パイプ部材７の近端には、継手１１を介してホース１２、布団乾燥機１３が接続されている。パイプ部材７に洗濯した衣服ＣをハンガーＨを介して吊り下げ、布団乾燥機１３を作働させると、布団乾燥機１３からホース１２、継手１１を介してパイプ部材７に温風が送風され、パイプ部材７の下面に穿けられた孔部６から温風が下方に噴射される。【選択図】図３
0003196776.tif 000002
【実用新案登録請求の範囲】
【請求項１】
基部に立設した２本の棒状部材の上端間にパイプ部材を水平方向に支持し、前記パイプ部材の遠端を封止すると共に、近端を布団乾燥機のホースに接続可能とし、前記パイプ部材の下面に前記布団乾燥機から送風された温風を噴射するための複数個の孔部を有することを特徴とする温風乾燥装置。
【請求項２】
前記棒状部材は上下に伸縮可能としたことを特徴とする請求項１に記載の温風乾燥装置。
【請求項３】
前記パイプ部材と前記ホースとの接続は気密性を有する継手を介して接続したことを特徴とする請求項１又は２に記載の温風乾燥装置。
【請求項４】
前記パイプ部材に設けた前記孔部の径は、パイプ部材の遠端にゆくほど大きくしたことを特徴とする請求項１〜３の何れか１項に記載の温風乾燥装置。
【考案の詳細な説明】
【技術分野】
【０００１】
本考案は、例えば衣類、シーツ、タオル等の洗濯物を乾燥させるための温風乾燥装置に関するものである。
【背景技術】
【０００２】
従来、洗濯した衣類等を乾燥させるためには、自然乾燥させるか、或いはドラム型乾燥機や浴室乾燥機の熱風を用いて強制的に乾燥させている。
【０００３】
夏季の晴天時等には、自然乾燥でも短時間で良く乾くが、気温の低い冬季や、雨天時、夜間には自然乾燥では乾き難いことから、ドラム型乾燥機や浴室乾燥機を用いる機会が多くなる。
【０００４】
また、花粉症の人は洗濯物に花粉が付着することを防いだり、女性は防犯の観点から屋外で洗濯物を乾燥させることを避け、ドラム型乾燥機や浴室乾燥機を用いる人も多い。
【０００５】
更に、１人暮らしの人は、帰宅後の夜間に洗濯することも多く、また、洗濯物を屋外に干したまま外出すると、急な天候の変化が生じた場合に、洗濯物が濡れてしまう虞れがある。
【考案の概要】
【考案が解決しようとする課題】
【０００６】
しかし、ドラム乾燥機や浴室乾燥機は、そもそも製品自体が高価であると共に、故障した際の修理代も高価である。
【０００７】
本考案の目的は、上述の課題を解消し、衣類、シーツ、タオル等の洗濯物を短時間で簡便に乾燥させることのできる安価な温風乾燥装置を提供することにある。
【課題を解決するための手段】
【０００８】
上記目的を達成するための本考案に係る温風乾燥装置は、基部に立設した２本の棒状部材の上端間にパイプ部材を水平方向に支持し、前記パイプ部材の遠端を封止すると共に、近端を布団乾燥機のホースに接続可能とし、前記パイプ部材の下面に前記布団乾燥機から送風された温風を噴射するための複数個の孔部を有することを特徴とする。
【考案の効果】
【０００９】
本考案に係る温風乾燥装置によれば、布団乾燥機による温風を利用して、簡便に洗濯物等を乾燥させることができる。
【図面の簡単な説明】
【００１０】
【図１】本実施例の温風乾燥装置の概略図である。
【図２】パイプ部材の部分断面図である。
【図３】パイプ部材に衣類を掛けた状態の斜視図である。
【図４】パイプ部材にシーツを掛けた状態の斜視図である。
【考案を実施するための形態】
【００１１】
本考案を図示の実施例に基づいて詳細に説明する。
図１は本実施例における温風乾燥装置１の概略図を示している。アルミニウムやステンレス等の金属から成る四角枠の基部フレーム２の左右両側には、上下に伸縮可能な径違い管から成る２組の棒状部材３ａ、３ｂが立設されている。棒状部材３ａ、３ｂの継なぎ目には固定ノブ４ａ、４ｂが設けられ、棒状部材３ａ、３ｂの長さを調整し固定することができるようになっている。また、基部フレーム２の四隅の下面にはキャスタ５ａ〜５ｄが取り付けられている。
【００１２】
また、左右の棒状部材３ａ、３ｂの上端間には、アルミニウムやステンレス等の金属から成り、孔部６を有するパイプ部材７が水平方向に配置されている。パイプ部材７は図２の部分断面図に示すように、下面に複数個の孔部６が穿けられ、近端には後述するホースが取り付けられるようになっており、遠端は封止部材８により封止されている。
【００１３】
そして、パイプ部材７の近端には、市販の蛇腹状のホースを備える布団乾燥機が接続可能とされている。具体的には、図１に示すように、パイプ部材７の近端には、気密性を有する布状の円筒状の継手１１を、両端に備えた面ファスナ等によりパイプ部材７の近端と、可撓性を有する蛇腹状のホース１２の端部とに固定し、更にこのホース１２に布団乾燥機１３が接続されている。
【００１４】
図３は第１の使用状態の斜視図を示している。パイプ部材７に洗濯した衣服ＣをハンガーＨを介して吊り下げ、布団乾燥機１３を作働させると、布団乾燥機１３からホース１２、継手１１を介してパイプ部材７に温風が送風され、パイプ部材７の下面に穿けられた孔部６から温風が下方に噴射される。
【００１５】
孔部６から噴射された温風は、吊り下げた衣服Ｃに効率良く当ることにより、衣服Ｃを短時間で強制乾燥させることができる。
【００１６】
更に、パイプ部材７にはハンガーＨの他に、多数の洗濯ばさみを吊り下げた物干し具を掛けることもでき、物干し具に吊り下げられた洗濯ばさみにより靴下、下着、ハンカチ、タオル等を挟んで乾燥させることもできる。
【００１７】
図４は第２の使用状態の斜視図を示している。固定ノブ４ａ、４ｂを介して棒状部材３ａ、３ｂの高さを更に高くした後に、パイプ部材７に洗濯したシーツＳを掛けている。このようにパイプ部材７にシーツＳを掛けると、孔部６から噴射した温風の流れは、シーツＳのシーツ片Ｓ１、Ｓ２の間に集中し、シーツＳを効率的に強制乾燥させることができる。
【００１８】
本実施例における温風乾燥装置１は、パイプ部材７を支持する棒状部材３ａ、３ｂの高さを調整することができ、シャツ等の衣類Ｃを乾燥させる際には、図３に示すように、棒状部材３ａ、３ｂの高さを低くすることにより、孔部６から噴射された温風が床面で跳ね返り、衣類Ｃの乾燥を早めることができる。
【００１９】
また、シーツＳやバスタオルのような縦長のものを乾燥させる場合には、図４に示すように棒状部材３ａ、３ｂの高さを大きくして使用する。
【００２０】
このように、この温風乾燥装置１は既に布団乾燥用に購入した各種メーカーの布団乾燥機１３が接続可能であり、この布団乾燥機から生成した衣類等の乾燥に適した温度の温風をパイプ部材７の孔部６から効率良く、衣類ＣやシーツＳに温風を当てることができる。また、布団乾燥機１３は通常ではタイマ機能を備えるため、タイマをセットすることで適当な時間だけ、衣類ＣやシーツＳ等を強制乾燥させることもできる。
【００２１】
なお、パイプ部材７とホース１２とを接続する継手１１は、実施例のような布状のもの以外に、合成樹脂製等、気密性を備える部材のものを適宜に使用することができる。また、継手１１の長さは、市販の布団乾燥機１３のホース１２の長さに合わせて、複数の長さのものを適宜用意してもよい。更には、パイプ部材７の近端とホース１２の端部の接続には、面ファスナの他に、ゴムバンド、紐状部材を用いてもよい。
【００２２】
また、温風はパイプ部材７の遠端にゆくほど圧力が低下する。このため、パイプ部材７の何れの位置からも同量程度の温風が噴出するように、パイプ部材７の遠端と近端では孔部６の径を変えることも有効である。つまり、遠端にゆくほど孔部６の径を大きくするようにしてもよい。或いは、孔部６の径は同じとして、遠端にゆくほど孔部６の間隔を狭めるようにすれば、同様に何れの位置からも同量程度の温風を噴出させることができる。
【００２３】
更に、基部フレーム２の下面には、キャスタ５ａ〜５ｄが設けられていることから、キャスタ５ａ〜５ｄが介して移動が容易であり、布団乾燥機１３と共に任意の場所に移動させて使用することができる。
【００２４】
また、この温風乾燥装置は、温風乾燥装置として使用しない場合には、ホース１２及び布団乾燥機１３を取り外し、単なる衣類掛スタンドとして、パイプ部材７にシャツやシーツＳのハンガーＨを吊すこともできる。
【符号の説明】
【００２５】
１  温風乾燥装置
２  基部フレーム
３ａ、３ｂ  棒状部材
４ａ、４ｂ  固定ノブ
５ａ〜５ｄ  キャスタ
６  孔部
７  パイプ部材
８  封止部材
１１  継手
１２  ホース
１３  布団乾燥機
Ｃ  衣服
Ｈ  ハンガー
Ｓ  シーツ
Ｓ１、Ｓ２  シーツ片
【図１】
0003196776.tif 000003
【図２】
0003196776.tif 000004
【図３】
0003196776.tif 000005
【図４】
0003196776.tif 000006